(57)【特許請求の範囲】
【請求項１】
フードにおける温度センサ取付部分は、深さ方向の奥に取付孔を有した凹部を備え、
温度センサは、前記取付孔から前記凹部内に挿入され、前記温度センサの外周面と前記凹部との間及び前記温度センサの外周面と前記取付孔との間にそれぞれ隙間を有していることを特徴とするレンジフード。
【請求項２】
前記温度センサの温度検知部は、前記取付孔から前記凹部内に挿入され、前記温度検知部の外周面と前記凹部との間及び前記温度検知部の外周面と前記取付孔との間にそれぞれ隙間を有している請求項１記載のレンジフード。
【請求項３】
前記温度センサの温度検知部の全体が前記取付孔から前記凹部内に挿入され、
前記温度検知部の先端部は、前記フードの前面とほぼ面一である請求項２記載のレンジフード。
【請求項４】
前記凹部は、開口の内径より奥の内径が小さいほぼテーパー形状で、凹部の内周面は、開口から中間に向けて順次小径となる円弧形状に湾曲した形状である請求項１又は２又は３記載のレンジフード。
【請求項５】
前記フードにおける温度センサ取付部分はバーリング加工された穴を有し、この穴を凹部とした請求項４記載のレンジフード。
【請求項６】
前記フードにおける温度センサ取付部分は複数の板材を備え、前記複数の板材はそれぞれ穴を有し、
前記穴は同心状に連続して凹部を形成している請求項４又は５記載のレンジフード。
【請求項７】
前記フードは取付部材を有し、
前記温度センサは本体部と温度検知部を備え、
前記本体部は、断熱性を有する素材からなるブッシュを介在して前記取付部材に取り付けられ、前記温度検知部が前記取付孔から前記凹部内に挿入されている請求項１〜６いずれか１項記載のレンジフード。
【請求項８】
前記凹部は上下方向に向かい、
前記取付孔は、前記温度センサの温度検知部の先端部よりも上側に位置している請求項１〜７いずれか１項記載のレンジフード。
【発明の詳細な説明】
【技術分野】
【０００１】
本発明は、加熱調理器具による調理により生じた油煙等を捕集して排出するレンジフードに関する。
【背景技術】
【０００２】
従来からフードと送風機を備え、送風機を駆動することで、加熱調理器具による調理により発生した燃焼ガスや油煙、臭気など（以下油煙等という）をフード内に捕集し、捕集した油煙等を室外又は室内に排出するレンジフードが知られている。
かかるレンジフードにおいては、調理による火災（例えば、天ぷら火災）が発生した場合、火災による炎が室外又は室内に向けて吹き出し、種々の不具合が生じることがある。
【０００３】
このことを解消するレンジフードが特許文献１に開示されている。
このレンジフードは、フードに温度センサを設け、送風機の吐出側に電動式シャッタを設け、温度センサの検知温度が異常高温であった場合には調理による火災が発生したと判断し、電動式シャッタを閉じることで火災による炎が室内や室外に吹き出すことがないようにしている。
【先行技術文献】
【特許文献】
【０００４】
【特許文献１】特開２０１１−５８７６２号公報
【発明の概要】
【発明が解決しようとする課題】
【０００５】
しかしながら、調理により発生した油煙等の温度を正確に検知するために、温度センサはフードの加熱調理器具と対向した前面に設けてある。
特許文献１のレンジフードでは、フードにおける油煙等の吸込部の近くに温度センサを設けている。
温度センサとして接触式の温度センサ、例えばサーミスタを用いた場合には、サーミスタをフードに、サーミスタの温度検知部をフードの前面から突出して設けることで、サーミスタの温度検知部に調理により発生した油煙等が触れ、油煙等の温度を正確に検知できるようにしている。
【０００６】
このために、温度センサとしてサーミスタを用いた場合には、サーミスタの温度検知部がレンジフードの使用者等からよく見えてしまい、意匠性が悪い。
また、フード前面を清掃する際にサーミスタの温度検知部が邪魔となり、サーミスタ周辺を清掃しにくいので清掃性に問題がある。
【０００７】
本発明の目的は、調理により発生した油煙等の温度を正確に検知できると共に、意匠性および清掃性に優れ、さらに温度センサによる温度検知を素早く行うことができるレンジフードとすることである。
【課題を解決するための手段】
【０００８】
本発明は、フードにおける温度センサ取付部分は、深さ方向の奥に取付孔を有した凹部を備え、
温度センサは、前記取付孔から前記凹部内に挿入され、前記温度センサの外周面と前記凹部との間及び前記温度センサの外周面と前記取付孔との間にそれぞれ隙間を有していることを特徴とするレンジフードである。
【０００９】
このようにすれば、温度センサの温度検知部の全体に油煙等が触れるから、温度センサによる温度検知をより素早く検知できる。また、温度検知部の外周面と凹部との間に流れてきた油煙等を含む空気は、温度センサの外周面と取付孔との間にあるすき間を通って凹部の外に抜けるため、温度検知部周囲に新しい空気が流れ、迅速に油煙の温度を検知することができる。
【００１０】
本発明のレンジフードにおいては、前記温度センサの温度検知部は、前記取付孔から前記凹部内に挿入され、前記温度検知部の外周面と前記凹部との間及び前記温度検知部の外周面と前記取付孔との間にそれぞれ隙間を有している構成とすることができる。
【００１１】
このようにすれば、温度検知部の外周面と取付孔との間に設ける隙間から油煙を含む空気が抜けるため、そのすき間周辺における空気の流れが多くなる。よって、温度検知部周囲の空気が素早く入れ替わるため、迅速に温度を検知することができる。
【００１２】
本発明のレンジフードにおいては、前記温度センサの温度検知部の全体が前記取付孔から前記凹部内に挿入され、
前記温度検知部の先端部は、前記フードの前面とほぼ面一である構成とすることができる。
【００１３】
このようにすれば、温度検知部がより見えづらく、清掃時に邪魔にならないから、意匠性及び清掃性がより優れる。
【００１４】
本発明のレンジフードにおいては、前記凹部は、開口の内径より奥の内径が小さいほぼテーパー形状で、開口部分の内周面は、開口から中間に向けて順次小径となる円弧形状に湾曲した形状である構成とすることができる。
【００１５】
このようにすれば、凹部の外観が丸みをおびて見えるので、凹部の意匠性がより優れ、さらに油煙等を含む空気が流れやすい。また、凹部の奥部に洗剤や油等の異物が入り込むことを抑制できる。
【００１６】
本発明のレンジフードにおいては、前記フードにおける温度センサ取付部分はバーリング加工された穴を有し、この穴を凹部とした構成とすることができる。
【００１７】
このようにすれば、凹部を簡単に形成できる。
【００１８】
本発明のレンジフードにおいては、前記フードにおける温度センサ取付部分は複数の板材を備え、前記複数の板材はそれぞれ穴を有し、
前記穴は同心状に連続して凹部を形成している構成とすることができる。
【００１９】
このようにすれば、凹部を簡単に形成できると共に、凹部の深さをより深くすることができる。これにより、凹部により多くの油煙等を含む空気を取り入れることができるため、精度よく検知することができる。
【００２０】
本発明のレンジフードにおいては、前記フードは取付部材を有し、
前記温度センサは本体部と温度検知部を備え、
前記本体部は、断熱性を有する素材からなるブッシュを介在して前記取付部材に取り付けられ、前記温度検知部が前記取付孔から前記凹部内に挿入されている構成とすることができる。
【００２１】
このようにすれば、取付部材が有する熱が本体部に伝わることがなく、温度センサによる温度検知をより正確に行うことができる。
【００２２】
本発明のレンジフードにおいては、前記凹部は上下方向に向かい、
前記取付孔は、前記温度検知部の先端部よりも上側に位置している構成とすることができる。
【００２３】
このようにすれば、凹部内に入り込んだ油煙等は、その温度による熱上昇気流によって取付孔から迅速に抜けるので、温度センサによる温度検知をより一層素早く行うことができる。
【発明の効果】
【００２４】
本発明によれば、調理により発生した油煙等の温度を正確に検知できると共に、意匠性および清掃性に優れ、さらに温度センサによる温度検知を素早く行うことができる。
【図面の簡単な説明】
【００２５】
【図１】レンジフードを備えた調理台の斜視図である。
【図２】レンジフードを備えた調理台の平面図である。
【図３】レンジフードを備えた調理台の縦断面図である。
【図４】図３のフード部分の拡大図である。
【図５】フード部分を見上げた状態の斜視図である。
【図６】図４のサーミスタ取付部分の拡大図である。
【図７】取付部材の斜視図である。
【発明を実施するための形態】
【００２６】
図１と図２に示すように、レンジフード１は調理台２に設けてある。
調理台２の天板２ａにおける前後方向の手前側に２つの調理用加熱器具２ｂを左右方向に離隔して備えていると共に、２つの調理用加熱器具２ｂよりも前後方向の奥側で、２つの調理用加熱器具２ｂの左右方向の中間に他の１つの調理用加熱器具２ｃを備えている。調理用加熱器具２ｂ，２ｃは調理の熱源である。
手前側は調理台２の調理する人が立つ側である。
奥側は調理台２の調理する人が立つ側と反対側である。
左右方向とは図２に矢印で示すように紙面の上下に向かう方向で、前後方向とは紙面の左右に向かう方向である。
【００２７】
レンジフード１は、図１、図２、図３に示すように、フード１０と、フード１０と連続した吸込通路部２０、排出通路部２１と、吸込通路部２０、排出通路部２１と連続した本体２２を有している。
フード１０の調理用加熱器具２ｂ，２ｃと対向した前面１０ａに吸込口１０ｂを有している。前面１０ａにサーミスタ３を設けてある。
吸込通路部２０は吸込通路２０ａを有し、吸込通路２０ａの入口はフード１０内に連通している。
排出通路部２１は排出通路２１ａを有し、排出通路２１ａの出口は室内に開口している。
本体２２は流入路２２ａと送風機収容室２２ｂとフィルタ取付室２２ｃと流出路２２ｄを有している。
【００２８】
本体２２は調理台２の内部に設けてある。
吸込通路部２０のフード１０と反対側部分、排出通路部２１のフード１０と反対側部分は調理台２の天板２ａにおける調理用加熱器具２ｂ，２ｃよりも奥側にそれぞれ挿入して設けられ、本体２２と連結してある。吸込通路２０ａの出口が本体２２の流入路２２ａの入口と連通し、排出通路２１ａの入口は本体２２の流出路２２ｄの出口と連通している。
【００２９】
送風機収容室２２ｂに送風機４を収容してある。送風機４はモータ４０と、そのモータ４０で回転駆動されるファン４１を有している。
送風機４の吸込側が流入路２２の出口に連通し、吐出側がフィルタ取付室２２ｃに連通している。
フィルタ取付室２２ｃにフィルタユニット５を取り付けてある。フィルタユニット５は油吸着フィルタ５０、脱煙フィルタ５１、脱臭フィルタ５２、エアフィルタ５３を有している。
【００３０】
レンジフードは次のように稼動する。
モータ４０に通電してファン４１を回転（送風機４を駆動）することで、調理時に発生した油煙等は、吸込口１０ｂ、フード１０内に設けたフィルタ６、吸込通路２０ａ、流入路２２ａを通り送風機４で吸い込まれる。
吸い込まれた油煙等は、油吸着フィルタ５０で油脂分が除去され、脱煙フィルタ５１で煙分が除去され、脱臭フィルタ５２で臭気が除去され、エアフィルタ５３で細かい塵や埃が取り除かれて清浄な空気となる。
清浄な空気は流出路２２ｄ、排気通路２１ａを通り室内に排出される。
これにより、実施の形態のレンジフードは室内循環式のレンジフードである。
【００３１】
フード１０は、上面板１１と、下面板１２と、上面板１１の周縁と下面板１２の周縁を連続する周面板１３とからなる矩形箱形状で、下面板１２の表面が調理用加熱器具２ｂ，２ｃと対向した前面１０ａである。
下面板１２の左右方向中央部分は上面板１１に向けて凹み、凹陥部１４を形成している。
凹陥部１４の吸込通路部２０側部分に開口１４ａを有している。この開口１４ａがフード１０の内部に開口し、フード１０の吸込口１０ｂとしてある。
【００３２】
つまり、フード１０の前面１０ａは凹陥部１４を有し、凹陥部１４に吸込口１０ｂを有している。
そして、凹陥部１４の左右方向の大きさは、左右２つの調理用加熱器具２ｂの中心２ｂ−１（つまり、２つの熱源の中心）に跨る大きさである。
このようであるから、左右２つの調理用加熱器具２ｂで調理している調理物から発生する油煙等は凹陥部１４内に入り込み、吸込口１０ｂからフード１０内に吸い込まれるので、左右２つの調理用加熱器具２ｂによる調理で発生した油煙等はフード１０内に効率よく吸い込まれる。
【００３３】
フード１０の下面板１２における凹陥部１４よりも前後方向の奥側には、フィルタ着脱用の開口１５が形成されている。この開口１５を閉塞する整流板（閉塞板）１６が下面板１２に着脱自在に取り付けてある。
整流板１６は下面板１２と面一に連続している。
このようであるから、整流板１６を取り外すことで、開口１５からフィルタ６をフード１０内に入れたり、出したりすることができ、フィルタ６の清掃、交換作業が容易にできる。
【００３４】
実施形態のフード１０は、図４に示すように下面板１２の凹陥部１４を形成する部分を、凹陥部１４の左右寸法で切り起こしてある。この切り起し部１２ａはフィルタ着脱用の開口１５まで渡る長さである。
切り起し部１２ａを前後方向に向けてほぼ鉤形状に折曲し、その切り起し部１２ａの左右両端部に側面板１７をそれぞれ取り付けて凹陥部１４としてある。
切り起し部１２ａの先端縁１２ａ−１は上面板１１寄りで下面板１２と離れ、かつ整流板１６の前後方向の手前側縁１６ａよりも前後方向の奥側寄りである。切り起し部１２ａの先端縁１２ａ−１と整流板１６の前後方向の手前側縁１６ａの間に開口１４ａを有し、この開口１４ａが吸込口１０ｂである。
なお、凹陥部１４をフード１０とは別の部材で形成し、下面板１２の凹陥部１４を形成する部分を切断等して除去し、その部分に別の部材を取り付けて凹陥部１４としても良い。
【００３５】
サーミスタ３は調理により発生した油煙等の温度を検知する温度センサである。
図２と図５に示すように、フード１０の凹陥部１４（つまり、フード１０の前面１０ａ）に左右一対のサーミスタ３が左右方向に間隔をあけてそれぞれ設けてある。
この一対のサーミスタ３の左右方向の間隔（距離）Ｌ１は、２つの調理用加熱器具２ｂの各中心２ｂ−１（つまり、各熱源の中心）間の距離Ｌ２よりも小さく、一対のサーミスタ３は２つの調理用加熱器具２ｂの各中心２ｂ−１よりもやや内側に位置している。
一対のサーミスタ３の左右方向の間隔Ｌ１は、吸込口１０ｂの左右方向の寸法よりも小さい。
【００３６】
一対のサーミスタ３と２つの調理用加熱器具２ｂの位置関係を前述のようにすることで、左右２つの調理用加熱器具２ｂで調理している調理物から発生する油煙等は、平面視（図２において）でやや内側（互いに接近する方向）に向かって直接的に吸い込まれていくため、レンジフード周囲空気の引き込みの影響が少ない地点で一対のサーミスタ３に触れるので、より正確に温度を検知することができる。
【００３７】
つまり、従来の温度センサはフードや吸込口の左右中央部に１つ設けているが、左右２つの調理用加熱器具で調理している調理物から発生する油煙等はフード内部に吸い込まれる際に左右中央部を通る量が少なく、左右中央部に設けた１つの温度センサでは油煙等のごく一部にしか触れないので、正確に温度を検知できない。
【００３８】
このことは、凹陥部１４に一対のサーミスタ３を設けることでより顕著となるが、平坦な前面１０ａに一対のサーミスタ３を設けても同様な効果を得ることができる。
また、サーミスタ３に限ることはなく、他の温度センサ、例えば熱電対や白金測温抵抗体等を用いても同様な効果を得ることができる。
【００３９】
次に、サーミスタ３の取り付けを説明する。
サーミスタ３は、図６に示すように本体部３０と、本体部３０の先端部に設けられた温度検知部３１を有している。
フード１０の前面１０ａにおけるサーミスタ取付部分、実施形態では下面板１２の凹陥部１４を形成する切り起し部１２ａのサーミスタ取付部分は、上面板１１に向けて凹み、上下方向に向かう凹部７を有している。
凹部７の内周面の直径、つまり凹部７の内径はサーミスタ３の温度検知部３１の外周面の直径、つまり温度検知部３１の外径よりも大きい。凹部７の深さはサーミスタ３の温度検知部３１の長さとほぼ等しい。
つまり、凹部７の形状、大きさは、サーミスタ３の温度検知部３１のほぼ全長が凹部７に入り込み、温度検知部３１の外周面が凹部７と接触せずに両者の間に環状の隙間を有するものとしてある。
【００４０】
凹部７の最深部、つまり凹部７の前面に開口した開口から深さ方向に最も遠い深さ方向の奥に取付孔８を有している。
取付孔８の内径はサーミスタ３の温度検知部３１の外径よりも大きく、温度検知部３１が挿入する。つまり、取付孔８は、サーミスタ３の温度検知部３１が挿入し、かつ取付孔８とサーミスタ、より詳しくは温度検知部３１の外周面との間に環状の隙間を形成するものとしてある。
取付孔８と温度検知部３１の外周面との間の環状の隙間は空気の流通が確保されている程度の隙間で、０．１５ｍｍ以上であると好ましく、より好ましくは０．２０ｍｍ以上０．５０ｍｍ以下である。
【００４１】
サーミスタ３の本体部３０は取付部材９でフード１０に取り付けてある。
そして、サーミスタ３の温度検知部３１は取付孔８から凹部７内に挿入している。図６では、温度検知部３１の全体（全長）が凹部７に挿入し、温度検知部３１の先端部３１ａが前面１０ａ（下面板１２の切り起し部１２ａ）とほぼ面一である。
凹部７と温度検知部３１の外周面との間に、温度検知部３１の全長に渡る環状の隙間を有している。
【００４２】
このようであるから、凹部７、つまりサーミスタ３の温度検知部３１の外周面と凹部７との環状の隙間に、調理により発生した油煙等が流れ込み、温度検知部３１の全体に触れると共に、温度検知部３１はフード１０と離れ、フード１０からの熱影響が少ないので、調理により発生した油煙等の温度を正確に検知できる。
【００４３】
しかも、凹部７に流れ込んだ油煙等は、取付孔８と温度検知部３１の外周面との間の環状の隙間から凹部７の外に抜け、凹部７に滞留することがないので、サーミスタ３による油煙等の温度の温度検知を素早く行うことができる。
つまり、油煙等は凹部７に入り込み、温度検知部３１の外周面の全長に沿って流れて凹部７の外に抜けるので、温度検知を素早く行うことができる。
【００４４】
サーミスタ３の温度検知部３１は凹部７内に設けられ、フード１０の前面１０ａから温度検知部３１の全体が突出することがないので、レンジフードの使用者等から見えづらく、意匠性に優れると共に、フード１０の前面１０ａのサーミスタ３周辺を清掃する際に温度検知部３１が邪魔にならずに清掃性に優れる。
実施形態では、フード１０の前面１０ａにおける凹陥部１４内に凹部７が形成されているので、温度検知部３１が奥まった箇所に設置されており、より一層見えづらい。
【００４５】
図６に示す凹部７は、開口の内径が最も大きく、奥の内径が最も小さくなるほぼテーパー形状で、開口から深さ方向中間までの開口部分の内周面は開口から中間に向けて順次小径となる円弧形状に湾曲した形状である。
例えば、サーミスタ取付部分を板材とし、その板材をバーリング加工して凹部７としてある。
このようにすれば、凹部７の外観が丸みをおびて見え、凹部７の意匠性がより優れ、さらに凹部７の奥部に洗剤や油等の異物が入り込むことを抑制できる。
【００４６】
次に、サーミスタ３の取り付けを詳細に説明する。
フード１０の下横板１２の切り起し部１２ａのサーミスタ取付部分に凹部７となる第１穴７ａが形成してある。第１穴７ａは筒状の突出片７ａ−１を有し、突出片７ａ−１は上方に向いている。
第１穴７ａは、開口の内径よりも奥の内径が小さく、開口部分の内周面の形状は、開口から中間に向けて順次小径となる円弧形状に湾曲した形状である。第１穴７ａの深さ方向の中間から奥までの奥部の内周面は内径がほぼ等しい円形状である。
つまり、第１穴７ａはバーリング加工で形成されている。
【００４７】
取付部材９は、図６、図７に示すように、フード１０に取り付けられる第１取付部材９０と、第１取付部材９０に取り付けられる一対の第２取付部材９１を有している。
第１取付部材９０は、長尺な下横板９０ａと、下横板９０ａの一端縁と連続した長尺な立上り板９０ｂと、立上り板９０ｂの上端縁と連続した長尺な上横板９０ｃとで縦断面がほぼコ字形状の長尺材で、上横板９０ｃの長手方向両端寄りにサーミスタ取付用の穴９２をそれぞれ有している。
【００４８】
下横板９０ａに、凹部７となる第２穴７ｂが形成してある。
第２穴７ｂは、筒状の突出片７ｂ−１を有し、突出片７ｂ−１は上方に向いている。
第２穴７ｂは、開口の内径よりも奥の内径が小さく、開口部分の内周面の形状は、開口から中間に向けて順次小径となる円弧形状に湾曲した形状である。奥部の内周面は内径がほぼ等しい円形状である。
つまり、第２穴７ｂはバーリング加工で形成され、第２穴７ｂと第１穴７ａは同一の形状である。
【００４９】
第１取付部材９０は、下横板９０ａをフード１０の下面板１２の上面（切り起し部１２ａの上面）に固着具９３で固着することでフード１０の内部に取り付けられる。
これによって、第１穴７ａの上に第２穴７ｂが位置し、第１穴７ａと第２穴７ｂは同心状に連続して第１穴７ａと第２穴７ｂとで凹部７を形成する。第２穴７ｂの最深部（奥）の開口が凹部７の取付孔８である。
【００５０】
第１穴７ａの奥部の内径（突出片７ａ−１の内径）は第２穴７ｂの開口の内径とほぼ同一で、第１穴７ａの開口の内径が最も大きく、第２穴７ｂの奥部の内径（突出片７ｂ−１の内径）が最も小さく、第１穴７ａと第２穴７ｂとで形成される凹部７は、開口の内径よりも奥の内径が小さいほぼテーパー形状である。凹部７の開口部分の円周面の形状は開口から中間に向けて順次小径となる円弧形状に湾曲している。
このように、フード１０の前面１０ａにおけるサーミスタ取付部分を２つの部材（下面板１２の切り起し部１２ａと第１取付部材９０の下横板９０ａ）で形成し、その２つの部材をバーリング加工して第１穴７ａ、第２穴７ｂを形成し、その第１穴７ａと第２穴７ｂを同心状に連続することで凹部７としたことで、開口から奥までの距離が長い凹部７、つまり深さが深い凹部７をバーリング加工により容易に形成できる。
つまり、バーリング加工による突出片の長さには限度があるから、１つの部材をバーリング加工して凹部を形成したのでは深い凹部を形成できない。
【００５１】
第２取付部材９１は短尺な横片９１ａと、横板９１ａの両端縁と連続した短尺な一対の縦片９１ｂ，９１ｂとで下向きコ字状の短尺材で、横片９１ａにサーミスタ３の本体部３０が嵌まり合う切欠部９４が形成してある。
第２取付部材９１は第１取付部材９０の長手方向両端寄りに、上横板９０ｃと立上り板９０ｂに嵌合するように設けられ、横片９１ａを固着具９５で上横板９０ｃに固着して取り付けられる。
【００５２】
サーミスタ３の本体部３０はフランジ３２を有している。
本体部３０にブッシュ３３の筒状部３３ａが嵌合して取り付けられ、ブッシュ３３の鍔部３３ｂが本体部３０のフランジ３２の下面に接している。ブッシュ３３は断熱性を有する素材、例えば樹脂やセラミックで作成してある。
【００５３】
サーミスタ３は次のようにして取り付ける。
第１取付部材９０を前述したとおりに取り付ける。
第２取付部材９１を取り付けしない状態で、サーミスタ３を、温度検知部３１を先頭として第１取付部材９０の上横板９０の穴９２に挿入し、ブッシュ３３の筒状部３３ａを穴９２に嵌合すると共に、温度検知部３１を取付孔８から第２穴７ｂ、第１穴７ａに挿入し、ブッシュ３３の鍔部３３ｂを上横板９０ｃの上面に接することで位置決めし、サーミスタ３を第１取付部材９０に取り付けする。
【００５４】
第２取付部材９１を第１取付部材９０のサーミスタ３と離れた位置に設け、横片９１ａを上横板９０ｃに接し、一方の縦片９１ｂを立上り片９０ｂに接する。
第２取付部材９１を第１取付部材９０の長手方向にスライドして切欠き部９４をサーミスタ３の本体部３０に嵌め込み、横片９１ａをフランジ３２の上面に接することで、上横板９０ｃと横片９１ａで本体部３０のフランジ３２をブッシュ３３を介在して挟持する。
横片９１ａを固着具９５で上横板９０ｃに固着し、第２取付部材９１を第１取付部材９０に固着することで、サーミスタ３を取付部材９に取り付ける。
なお、以上のようにして取り付けるときにはフード１０の上面板１１が無い状態とし、取り付け後に上面板１１を取り付ける。
【００５５】
このようにすることで、第１取付部材９０とサーミスタ３の本体部３０は断熱性を有する素材から成るブッシュ３３が介在して接するので、第１取付部材９０からサーミスタ３０に熱が伝わることがなく、サーミスタ３による温度検知をより正確に行うことができる。
【００５６】
また、凹部７は上下方向に向かい、開口よりも奥が上方に位置し、その奥に取付孔８を有しているから、温度検知部３１の先端部３１ａよりも上側に取付孔８が位置している。
これにより、凹部７に入り込んだ油煙等は、その温度によって生じる熱上昇気流によって取付孔８から迅速に抜けるので、サーミスタ３による温度検知をより一層素早く行うことができる。
【００５７】
以上の実施形態では、凹部７を上下方向に向けたが、これに限ることはなく、凹部７は水平方向に向けたりすることができる。
また、以上の実施形態では、フィルタユニット５を有した室内循環式のレンジフードとしたが、これに限ることはない。
例えば、フィルタユニットを有していないレンジフード、油煙等を室外に排出する室外側排気式のレンジフードとすることができる。
また、以上の実施形態では調理台に取り付けるレンジフードとしたが、これに限ることはない。
例えば、フードを天井に取り付けるレンジフードとすることができる。
また、以上の実施形態では凹部７をバーリング加工した第１穴７ａと第２穴７ｂで形成したが、これに限ることはない。
例えば、バーリング加工した１つの穴で凹部７とする。
または、下面板１０の一部分または全部の板厚を厚くし、ドリル等で穴をあけて凹部７とする。
または、ドリル等で盲穴を形成し、その底部に孔をあけて凹部７とする。
または、下面板１０に穴をあけ、その穴に筒を嵌合して取り付けることで凹部７とする。
【符号の説明】
【００５８】
１…レンジフード、２…調理台、２ｂ…調理用加熱器具、２ｃ…調理用加熱器具、３…サーミスタ、４…送風機、６…フィルタ、７…凹部、７ａ…第１穴、７ｂ…第２穴、８…取付孔、９…取付部材、１０…フード、１０ａ…前面、１０ｂ…吸込口、１２…下面板、１２ａ…切り起し部、１４…凹陥部、３０…本体部、３１…温度検知部、３１ａ…先端部。
【図１】
0006570951.tif 000002
【図２】
0006570951.tif 000003
【図３】
0006570951.tif 000004
【図４】
0006570951.tif 000005
【図５】
0006570951.tif 000006
【図６】
0006570951.tif 000007
【図７】
0006570951.tif 000008